(57)【要約】【課題】施解錠状態検知部により施解錠状態を検知と扉状態検知部により扉の状態が変化の検知に基づいて錠の異常状態を検知して報知する。【解決手段】錠１の施解錠状態を検知する施解錠状態検知部２と、扉３の開閉状態を検知する扉状態検知部４とを有する。施解錠状態検知部２により施錠状態を検知している状態で且つ扉状態検知部４により扉３が閉状態から開状態となったことを検知した際に異常状態と判断して報知手段５により異常を報知するように制御する制御部６を設ける。【選択図】　　　　図１
2004116085.tif 000002
【特許請求の範囲】
【請求項１】
錠の施解錠状態を検知する施解錠状態検知部と、扉の開閉状態を検知する扉状態検知部とを有し、施解錠状態検知部により施錠状態を検知している状態で且つ扉状態検知部により扉が閉状態から開状態となったことを検知した際に異常状態と判断して報知手段により異常を報知するように制御する制御部を設けて成ることを特徴とする扉の錠の異常状態検知装置。
【請求項２】
報知手段による異常状態の報知をキャンセルするためのキャンセル手段を設け、報知手段による異常状態の報知が報知開始から一定時間はキャンセル手段を操作してもキャンセルを受け付けず一定時間経過後にキャンセルを受け付ける受け付け可否手段を設けて成ることを特徴とする請求項１記載の扉の錠の異常状態検知装置。
【請求項３】
錠の施解錠状態を検知する施解錠状態検知部と、扉の開閉状態を検知する扉状態検知部とを有し、施解錠状態検知部により施錠状態を検知している状態で且つ扉状態検知部により扉が開状態から閉状態となったことを検知した際に異常状態と判断して報知手段により異常を報知するように制御する制御部を設けて成ることを特徴とする扉の錠の異常状態検知装置。
【発明の詳細な説明】
【０００１】
【発明の属する技術分野】
本発明は、施錠状態においてデッドボルトが切断された場合の異常や、デッドボルトが差し込まれるデッドボルト受け部にいたずらにより異物が詰められた場合の異常等を報知するための技術に関するものである。
【０００２】
【従来の技術】
扉３を施錠している状態でデッドボルト１ａを切断して破錠することで不正侵入することがある。これに対する対策として、現状では図８に示すように扉３に施錠時におけるデッドボルト１ａの露出を隠すための戸当たり３０を設ける程度の方策しかおこなわれていない。このような施錠時におけるデッドボルト１ａの露出を隠すための戸当たり３０を扉３に設ける技術は従来から一般的に行われている周知の技術である。
【０００３】
また、破錠時に生じる振動を検知して警報を発生する方式の扉用警報装置も従来から知られている。（例えば特許文献１参照）
また、デッドボルトが差し込まれるデッドボルト受け部（ストライク）側で電気錠の施解錠を認識するようにした電気錠も従来から知られている。（例えば特許文献２参照）
【０００４】
【特許文献１】特開２００２−１９００６９号公報
【特許文献２】特開平８−１５１８３２号公報
【０００５】
【発明が解決しようとする課題】
上記した扉３に戸当たり３０を設けるという従来から一般的に行われている技術においては、扉３の戸先の先端に戸当たりを突出させるため、扉としての外観が悪くなってしまうという問題があった。
【０００６】
また、上記した特許文献１に示される従来例にあっては、破錠時に生じる振動を検知して警報を発生する方式の扉用警報装置においては、振動検知が外乱に弱くて誤動作によって警報を発してしまうなど（例えば電車が通ると電車の振動により誤動作する）、動作信頼性の点で問題があった。
【０００７】
また、上記した特許文献２に示される従来例にあっては、受け部側に異物を詰められた場合（多くはいたずらと推定される）、電気錠においてはデッドボルト受け部に詰められた異物をデッドボルト受け部にデッドボルトが挿入されて施錠されていると認識されその電気錠については施錠されていると見なされる。このため、当該電気錠を施錠しようとしても、物理的にデッドボルト受け部に異物が詰まっているのでデッドボルトが入らない（機械的な施錠不能）のみならず、一般的な施解錠検知機能付きの電気錠については施錠されていると見なされている錠には電気的な施錠を行わないのが通常である。これは実質的に施錠できていないにもかかわらず、施錠しているという錠の誤認識となり、防犯上危険な状態である。
【０００８】
本発明は上記の点に鑑みてなされたものであり、施解錠状態検知部により施解錠状態の検知と扉状態検知部による扉の状態変化の検知に基づいて破錠やデッドボルト受け部への異物の詰まり等の錠の異常状態を確実に検知して異常を報知することができ、また、外乱などにより誤動作することがないと共に戸当たりも必要でない扉の錠の異常状態検知装置を提供することを課題とするものである。
【０００９】
【課題を解決するための手段】
上記課題を解決するために本発明に係る扉の錠の異常状態検知装置は、錠１の施解錠状態を検知する施解錠状態検知部２と、扉３の開閉状態を検知する扉状態検知部４とを有し、施解錠状態検知部２により施錠状態を検知している状態で且つ扉状態検知部４により扉３が閉状態から開状態となったことを検知した際に異常状態と判断して報知手段５により異常を報知するように制御する制御部６を設けて成ることを特徴とするものである。このような構成とすることで、施解錠状態検知部２で施錠状態を検知し且つ扉状態検知部４により扉３の閉状態を検知している状態で、侵入犯が錠１のデッドボルト１ａを切断して扉３を開くと、デッドボルト１ａは施錠のために突出した状態のまま切断されているので、施解錠状態検知部２においては施錠状態と検知するが、この施錠状態で扉３が閉状態から開状態になると、デッドボルト１ａの破錠による異常であると判断し、このようにして侵入犯による破錠を確実に検知して報知手段５により異常を報知することで、誤操作なく、防犯効果を高めることができるものである。
【００１０】
また、報知手段５による異常状態の報知が報知開始から一定時間はキャンセル手段７を操作してもキャンセルを受け付けず一定時間経過後にキャンセルを受け付ける受け付け可否手段８を設けることが好ましい。このような構成とすることで、破錠状態の報知が一定時間中は報知をキャンセルする操作を行ってもキャンセルできないことで、より防犯性が高くなるものである。
【００１１】
また、錠１の施解錠状態を検知する施解錠状態検知部２と、扉３の開閉状態を検知する扉状態検知部４とを有し、施解錠状態検知部２により施錠状態を検知している状態で且つ扉状態検知部４により扉３が開状態から閉状態となったことを検知した際に異常状態と判断して報知手段５により異常を報知するように制御する制御部６を設けることが好ましい。このような構成とすることで、開扉状態においていたずらで錠１のデッドボルト１ａを受けるデッドボルト受け部１ｂに異物２５が詰められた場合、実際はデッドボルト１ａがデッドボルト受け部１ｂに入っていないにもかかわらず施解錠状態検知部２で施錠状態と認識され、この状態で扉３を開から閉に閉じて扉状態検知部４により閉状態と認識され「閉扉・施錠」と認識されるが、このような場合には、デッドボルト受け部１ｂにいたずらなどで異物２５が詰められていることによる異常であると判断し、このようにしていたずらによる異常を確実に検知して報知手段５により報知することで、防犯効果を高めることができるものである。
【００１２】
【発明の実施の形態】
以下、本発明を添付図面に示す実施形態に基づいて説明する。
【００１３】
扉３は玄関扉や門扉、あるいはビルの出入り口の扉、ビル内の各部屋の扉等である。
【００１４】
図１、図２に示す例では扉３が主扉３ａと、子扉３ｂとで構成してある例を示している。図１の実施形態では錠１として電気錠装置を用いた例が示してある。電気錠装置は電気錠ブロック９と、コントローラ１０とで構成してある。
【００１５】
電気錠ブロック９は主扉３ａ側にデッドボルト１ａ等を備えた電気錠駆動部１ｃが設けてあり、また、主扉３ａ側には扉３（主扉３ａ）の開閉状態を検知する扉状態検知部４が設けてある。一方、子扉３ｂには施錠時にデッドボルト１ａが挿入されるデッドボルト受け部１ｂが設けてあり、また、錠１の施解錠状態を検知する施解錠状態検知部２が設けてある。
【００１６】
扉３の開閉状態を検知する扉状態検知部４は例えばマグネットスイッチなどを用いるものであり、扉３の開閉によりマグネットスイッチが動作して扉３の開状態、閉状態をそれぞれ検知するようになっている。
【００１７】
施解錠状態検知部２は、図１，図３に示すようにデッドボルト受け部１ｂ側に設けられる場合と、図４に示すようにデッドボルト１ａを出す側に設けられる場合がある。デッドボルト受け部１ｂ側に施解錠状態検知部２を設けるものにおいては、デッドボルト１ａが挿入された際にデッドボルト１ａの押し込みにより検知を行う（外側に付勢された軸をデッドボルト１ａが押し込んで軸によりマイクロスイッチ２６を操作することで、施錠状態を検知し、また、デッドボルト１ａが挿入されていない時にはマイクロスイッチ２６が操作されないことで解錠状態であることを検知する）ようになっている。また、施解錠状態検知部２をデッドボルト１ａを出す側に設けるものにおいては、デッドボルト１ａがマイクロスイッチを操作することで施錠状態、解錠状態をそれぞれ検知するようになっている。
【００１８】
コントローラ１０は主扉３ａに設けてあり、状態記憶部１１、ＣＰＵよりなる制御部６、暗証コード記憶部１２、キーコード読取部１３、表示・警報等の報知手段５、通信部１４が設けてある。また、コントローラ１０には更に報知手段５による異常状態の報知をキャンセルするためのキャンセル手段７が設けてある。
【００１９】
制御部６には駆動制御部１６、状態判断部１７、受け付け可否手段８、タイマ１５が設けてある。
【００２０】
カードキー１９等のデータをキーコード読取部１３が読み取って認証することで、駆動制御部１６から電気錠駆動部１ｃのモータやソレノイドを制御する信号を出力してデッドボルト１ａの出し入れ動作の制御を行うようになっている。
【００２１】
また、施解錠状態検知部２による施解錠状態検知信号、扉状態検知部４による開扉、閉扉の扉状態検知信号が状態記憶部１１を介して状態判断部１７に入力され、状態記憶部１１で施解錠状態検知部２、扉状態検知部４からの状態情報を記憶し、状態判断部１７により必要時に状態記憶部１１からのデータを参照しながら電気錠の現在の状態と過去の状態とを比較して状態判断を行うようになっており、現在の状態が異常であると判断すると報知手段５により異常であることを報知するようになっている。すなわち、状態判断部１７においては図５や図７に示すようなフローチャートに従って異常状態の発生を監視するものであり、異常状態であると判断すると、報知手段５により報知を行うのである。また、状態判断部１７における電気錠の現在の状態の情報は通信部１４からホームオートメーションシステムの屋内側コントローラ１８に送信されるようになっている。また、屋内側コントローラ１８からの制御信号は通信部１４で受信され、制御部６により電気錠の制御を行うことができるようになっている。
【００２２】
また、受け付け可否手段８は、報知手段５による異常状態の報知開始から設定した一定時間（例えば１０秒〜１分程度）をタイマ１５によりカウントし、設定した一定時間が経過するまではキャンセル手段７を操作してもキャンセル手段７によるキャンセル信号の入力を受け付けないように制御し、また、異常状態の報知開始から一定時間経過後にキャンセル手段７を操作する報知手段５による報知のキャンセルを受け付けて報知をオフすることができるように制御するようになっている
次に、図５に示すフローチャートに基づいて状態判断部１７における異常状態発生の監視と、異常状態であると判断した場合の報知手段５による報知の動作につき説明する。本実施形態においては、錠１の施解錠の状態変化を施解錠状態検知部２で検知し、扉３の開閉状態の変化を扉状態検知部４で検知するものであり、施錠状態を施解錠状態検知部２により検知している状態で且つ扉３が閉状態から開状態となったことを扉状態検知部４により検知した際に異常状態（例えばデッドボルト１ａが切断された破錠状態）と判断して報知手段５により異常を報知するようになっている。つまり、図３（ａ）や図４（ａ）のようにデッドボルト１ａがデッドボルト受け部１ｂに差し込まれた施錠状態において想像線のようにデッドボルト１ａが切断された（この状態では施解錠状態検知部２は施錠状態であると認識している）後、図３（ｂ）や図４（ｂ）のように扉３が開けられて扉状態検知部４で扉３状態が閉から開に変化したことを検知した場合には切断により破錠された異常状態であると状態判断部１７により判断し、報知手段５により警告音や表示により異常を報知するように制御されるものである。
【００２３】
図５において具体的に説明すると、「扉閉・施錠状態」で、解錠操作が無い場合において、扉３状態が閉から開となり、錠状態が施錠状態のまま（つまり錠状態が閉のまま）の場合には、デッドボルト１ａが切断された破錠状態であると状態判断部１７により判断し（破錠状態検知）、報知手段５により破錠状態を報知する。
【００２４】
一方、「扉閉・施錠状態」で、解錠操作があると、電気錠駆動部１ｃが解錠駆動をし、解錠後に一定時間以内に扉３が開操作されると「扉開・施錠状態遷移」となるが、解錠後に一定時間以内に扉３が開操作されないと電気錠駆動部１ｃが解錠駆動が施錠駆動をし、「扉閉・施錠状態」に戻る。
【００２５】
また、「扉閉・施錠状態」で、解錠操作が無い場合において、扉３状態が閉から開とならない場合、つまり、扉３が閉じたままの場合には「扉閉・施錠状態」に戻る。
【００２６】
更に、「扉閉・施錠状態」で、解錠操作が無い場合において、扉３状態が閉から開となると、錠状態が閉のままであるかどうかを検知し、錠状態が閉のままでない（つまり錠が開）場合には屋内側コントローラ１８に報知して施解錠状態検知部２の異常の可能性があることを報せる。
【００２７】
ここで、本発明においては、上記のようにコントローラ１０には報知手段５による異常状態の報知をキャンセルするためのキャンセル手段７を設けてあり、キャンセル手段７により報知手段５による異常状態の報知をキャンセルすることができるようにしてあるが、報知開始から一定時間（例えば１０〜１分程度、好ましくは３０秒程度）はキャンセル手段７を操作してもキャンセル手段７によるキャンセル信号の入力を受け付けない受け付け可否手段８を設けてある。したがって、報知開始から一定時間はどのような操作を行っても報知手段５による異常状態の報知（この場合には破錠状態の報知）がキャンセルされることなく行われ、一定時間経過後は、キャンセル手段７を操作することで報知手段５による報知をキャンセルしてオフにできるものである。これによりより防犯性を高めることができることになる。
【００２８】
次に、本発明の他の実施形態を、図７に示すフローチャートに基づいて状態判断部１７における異常状態発生の監視と、異常状態であると判断した場合の報知手段５により報知の動作につき説明する。
【００２９】
本実施形態においては、デッドボルト受け部１ｂ側に施解錠状態検知部２を設けてある。しかして、錠１の施解錠の状態変化を施解錠状態検知部２で検知し、扉３の開閉状態の変化を扉状態検知部４で検知するものにおいて、施解錠状態検知部２により施錠状態を検知している状態で且つ扉状態検知部４により扉３が開状態から閉状態となったことを検知した際に異常状態（例えばデッドボルト受け部１ｂにいたずら等により異物２５が詰まっている状態）と判断して報知手段５により異常を報知するようになっている。つまり、図６（ａ）のように扉３状態が開の時にデッドボルト受け部１ｂに異物２５が詰められると施解錠状態検知部２によりデッドボルト１ａがデッドボルト受け部１ｂに挿入されて施錠されたと認識し、「開扉・施錠」と認識され、次に、図６（ｂ）のように扉３状態が開から閉に変化したことを扉状態検知部４で検知した場合にはデッドボルト受け部１ｂに異物２５が詰まっている異常状態であると状態判断部１７により判断し、報知手段５により警告音や表示により異常を報知するように制御されるものである。
【００３０】
すなわち、図７に示すように、まず、「扉開・解錠状態」で、施解錠状態検知部２が施錠状態を検知し、扉状態検知部４で扉３が開状態から閉状態に状態が変化したことを検知すると、解錠状態においてデッドボルト受け部１ｂに異物２５が詰まったと判定し（異物検知を行い）、報知手段５により異物検知を報知するものである。この場合、屋内側コントローラ１８に異物検知情報を送信して屋内側コントローラ１８に設けた報知手段５により屋内側コントローラ１８において異物検知を報知するようにしてもよい。また、電気錠装置に設けた報知手段５、屋内側コントローラ１８に設けた報知手段５の両方で異物検知を報知するようにしてもよい。上記報知手段５による異物検知の報知としては音による報知、表示による報知等により行うが、例えば「錠のデッドボルト受け部を確認して下さい」といった音声アナウンスや表示により行う。
【００３１】
一方、「扉開・解錠状態」で、施解錠状態検知部２が施錠状態を検知しない場合には、次に、扉状態検知手段４で扉３状態が開から閉に変化したかどうかを検知し、扉３状態が開から閉に変化しない場合には「扉開・解錠状態」に戻り、扉３状態が開から閉に変化した場合には、次に、一定時間内に更に扉３状態が閉から開に変化すると「扉開・解錠状態」に戻り、一定時間内に扉３状態が閉から開に変化しないと「扉閉・施錠」状態に遷移する。
【００３２】
なお、「扉開・解錠状態」で、施解錠状態検知部２が施錠状態を検知した場合、検知しなかった場合のいずれの場合にも扉３が一定時間継続すると報知手段５により扉３が空き放しとなっていることを制御部６により警報するようになっている。
【００３３】
なお、本実施形態ではデッドボルト受け部１ｂ側に施解錠状態検知部２を設け、デッドボルト受け部１ｂに異物が詰まって施解錠状態検知部２が施錠と判断した場合、これをいたずら等によりデッドボルト受け部１ｂに異物２５が詰まっているとして報知するようにしているが、施解錠状態検知部２をデッドボルト１ａを出す側に設けるものにおいてはデッドボルト受け部１ｂに異物が詰まっても施解錠状態検知部２では異物検知ができない。しかしながら、この場合には閉扉後に施錠を行う動作の際にデッドボルト受け部１ｂに詰まった異物２５によりデッドボルト１ａが挿入できず（つまり施錠できず）、異常モードとなる等の挙動となり、この場合に報知手段５により報知することでデッドボルト受け部１ｂに異物が詰まっていることを報知することができるものである。
【００３４】
【発明の効果】
上記のように本発明の請求項１記載の発明にあっては、錠の施解錠状態を検知する施解錠状態検知部と、扉の開閉状態を検知する扉状態検知部とを有し、施解錠状態検知部により施錠状態を検知している状態で且つ扉状態検知部により扉が閉状態から開状態となったことを検知した際に異常状態と判断して報知手段により異常を報知するように制御する制御部を設けるので、施解錠状態検知部で施錠状態を検知し且つ扉状態検知部により扉の閉状態を検知している状態で、侵入犯が錠のデッドボルトを切断して扉を開くと、デッドボルトは施錠のために突出した状態のまま切断されているので、施解錠状態検知部においては施錠状態と検知するが、この施錠状態で扉が閉状態から開状態になると、デッドボルトの破錠による異常であると判断し、このようにして破錠を確実に検知して報知手段により異常を報知することで、誤操作なく、防犯効果を高めることができるものであり、また、従来のように振動を検知して警報を出すものと異なり、電車が通るなどの外乱による誤動作がないものである。また、破錠防止のために従来例のように特別に扉の戸先に戸当たりを設ける必要もなく、扉の外観を損なうことなく防犯効果を高めることができるものである。
【００３５】
また、請求項２記載の発明にあっては、上記請求項１記載の発明の効果に加えて、報知手段による異常状態の報知をキャンセルするためのキャンセル手段を設け、報知手段による異常状態の報知が報知開始から一定時間はキャンセル手段を操作してもキャンセルを受け付けず一定時間経過後にキャンセルを受け付ける受け付け可否手段を設けるので、破錠状態の報知が一定時間中は報知をキャンセルする操作を行ってもキャンセルできないことで、より防犯性が高くなるものである。
【００３６】
また、請求項３記載の発明にあっては、錠の施解錠状態を検知する施解錠状態検知部と、扉の開閉状態を検知する扉状態検知部とを有し、施解錠状態検知部により施錠状態を検知している状態で且つ扉状態検知部により扉が開状態から閉状態となったことを検知した際に異常状態と判断して報知手段により異常を報知するように制御する制御部を設けるので、開扉状態においていたずらで錠のデッドボルトを受けるデッドボルト受け部に異物を詰められた場合、実際はデッドボルトがデッドボルト受け部に入っていないにもかかわらず施解錠状態検知部で施錠状態と認識され、この状態で扉を開から閉に閉じて扉状態検知部により閉状態と認識され「閉扉・施錠」と認識されるが、このような場合には、デッドボルト受け部にいたずらなどで異物が詰められていることによる異常であると判断し、このようにしていたずらによる異常を確実に検知して報知手段により報知することで、施錠表示されているにもかかわらず実際は施錠されていない状態等の防犯上危険な状態を未然に回避することができて、防犯効果を高めることができるものである。
【図面の簡単な説明】
【図１】本発明の制御ブロック図である。
【図２】同上の扉の一例を示す説明図である。
【図３】（ａ）は同上の施解錠状態検知部がデッドボルト受け部側にある場合における施錠時においてデッドボルトが切断されている状態を示す説明図であり、（ｂ）はデッドボルトが切断された後に扉を開いた状態を示す説明図である。
【図４】（ａ）は同上の施解錠状態検知部がデッドボルトを出す側にある場合における施錠時においてデッドボルトが切断されている状態を示す説明図であり、（ｂ）はデッドボルトが切断された後に扉を開いた状態を示す説明図である。
【図５】同上のフローチャートである。
【図６】（ａ）は同上の開扉・施錠状態においてデッドボルト受け部に異物が詰まった場合の説明図であり、（ｂ）は開扉・施錠状態においてデッドボルト受け部に異物が詰まった後に扉を閉じた状態を示す説明図である。
【図７】同上のフローチャートである。
【図８】従来例を示す説明図である。
【符号の説明】
１　錠
２　施解錠状態検知部
３　扉
４　扉状態検知部
５　報知手段
６　制御部
７　キャンセル手段
８　受け付け可否手段
【図１】
2004116085.tif 000003
【図２】
2004116085.tif 000004
【図３】
2004116085.tif 000005
【図４】
2004116085.tif 000006
【図５】
2004116085.tif 000007
【図６】
2004116085.tif 000008
【図７】
2004116085.tif 000009
【図８】
2004116085.tif 000010